(57)【特許請求の範囲】
【請求項１】
水面に浮かぶ浮体と、
前記浮体上に設置され、少なくとも一部が潜水可能に構成された風車とを備える浮体式風力発電装置であって、
前記風車は、
少なくとも一本のブレードと、
前記ブレードが取り付けられるハブと、
前記浮体上に立設されるタワーと、
前記タワー上に設けられるナセルと、
前記ハブ又は前記ナセル内に設けられる第１電気機器と、
ケーブルを介して前記第１電気機器に接続される第２電気機器とを含み、
前記第２電気機器は、前記風車の潜水時において、水没しないように前記タワーに対して鉛直方向に相対移動可能に構成され、
前記タワー内に設けられ、前記タワーの内部空間に注入されたバラスト水を前記タワー外に排出するための排出ポンプと、
前記排出ポンプを前記バラスト水の水面に浮かべるためのフロートとをさらに備えることを特徴とする浮体式風力発電装置。
【請求項２】
水面に浮かぶ浮体と、
前記浮体上に設置され、少なくとも一部が潜水可能に構成された風車とを備える浮体式風力発電装置であって、
前記風車は、
少なくとも一本のブレードと、
前記ブレードが取り付けられるハブと、
前記浮体上に立設されるタワーと、
前記タワー上に設けられるナセルと、
前記ハブ又は前記ナセル内に設けられる第１電気機器と、
ケーブルを介して前記第１電気機器に接続される第２電気機器とを含み、
前記第２電気機器は、前記風車の潜水時において、水没しないように前記タワーに対して鉛直方向に相対移動可能に構成され、
前記タワーには、前記タワーの内部空間と前記タワーの外部との間における前記バラスト水の移動に用いられるバラスト水チューブが挿通される給排水口が設けられており、
前記給排水口は、前記風車の潜水時において前記水面よりも上方の前記タワーの領域に位置することを特徴とする浮体式風力発電装置。
【請求項３】
水面に浮かぶ浮体と、
前記浮体上に設置され、少なくとも一部が潜水可能に構成された風車とを備える浮体式風力発電装置であって、
前記風車は、
少なくとも一本のブレードと、
前記ブレードが取り付けられるハブと、
前記浮体上に立設されるタワーと、
前記タワー上に設けられるナセルと、
前記ハブ又は前記ナセル内に設けられる第１電気機器と、
ケーブルを介して前記第１電気機器に接続される第２電気機器とを含み、
前記第２電気機器は、前記風車の潜水時において、水没しないように前記タワーに対して鉛直方向に相対移動可能に構成され、
前記風車は、前記タワーの外周側に設置されたラダーと、該ラダーを覆うラダーカバーとをさらに含み、
前記ラダーによって前記タワーの下部から前記ナセルに至るアクセス路を前記タワーの外部に形成したことを特徴とする浮体式風力発電装置。
【請求項４】
前記第２電気機器は、前記風車の潜水時において、前記水面に浮かぶフロートを有する電気機器ボックスに収納されていることを特徴とする請求項１乃至３の何れか一項に記載の浮体式風力発電装置。
【請求項５】
水面に浮かぶ浮体と、
前記浮体上に設置され、少なくとも一部が潜水可能に構成された風車とを備える浮体式風力発電装置であって、
前記風車は、
少なくとも一本のブレードと、
前記ブレードが取り付けられるハブと、
前記浮体上に立設されるタワーと、
前記タワー上に設けられるナセルと、
前記ハブ又は前記ナセル内に設けられる第１電気機器と、
ケーブルを介して前記第１電気機器に接続される第２電気機器とを含み、
前記第２電気機器は、前記風車の潜水時において、水没しないように前記タワーに対して鉛直方向に相対移動可能に構成され、
前記第２電気機器は、前記風車の潜水時において、前記水面に浮かぶフロートを有する電気機器ボックスに収納されており、
前記電気機器ボックスは、前記タワーの内周面又は外周面に当接するガイド部材を有し、前記風車の潜水時、前記電気機器ボックスが前記ガイド部材によって前記タワーに沿って案内されるように構成されたことを特徴とする浮体式風力発電装置。
【請求項６】
前記浮体は、前記風車が設置される第１コラムを含む複数のコラムと、前記複数のコラム間を接続するロワーハルとを含むセミサブ式浮体であり、
前記風車は、前記タワーと、前記コラム又は前記ロワーハルの少なくとも一方とに対するバラスト水の注入によって潜水可能に構成されたことを特徴とする請求項１乃至５の何れか一項に記載の浮体式風力発電装置。
【請求項７】
前記ナセルは、前記タワー上部に固定されて前記タワーに対して不動であり、
前記タワーは、断面楕円形状であることを特徴とする請求項１乃至６の何れか一項に記載の浮体式風力発電装置。
【請求項８】
少なくとも一本のブレード、該ブレードが取り付けられるハブ、水面に浮かぶ浮体上に立設されたタワー、該タワー上に設けられるナセル、前記ハブ又は前記ナセル内に設けられる第１電気機器、および、ケーブルを介して前記第１電気機器に接続される第２電気機器を含む風車と、前記浮体とを備えた浮体式風力発電装置の部品搬送方法であって、
前記風車の少なくとも一部を潜水させる潜水ステップと、
前記潜水ステップの後、前記ブレード、前記ハブ又は前記ナセルの少なくとも一つにおける第１積み降ろし位置と、前記水面側における第２積み降ろし位置との間で前記風車の部品を移動させる部品移動ステップとを備え、
前記潜水ステップでは、前記第２電気機器が水没しないように前記タワーに対して前記第２電気機器を鉛直方向に相対移動させ、
前記潜水ステップでは、前記少なくとも一本のブレードのうち前記水面に近いブレードに保護カバーを取り付けることを特徴とする浮体式風力発電装置の部品搬送方法。
【請求項９】
少なくとも一本のブレード、該ブレードが取り付けられるハブ、水面に浮かぶ浮体上に立設されたタワー、該タワー上に設けられるナセル、前記ハブ又は前記ナセル内に設けられる第１電気機器、および、ケーブルを介して前記第１電気機器に接続される第２電気機器を含む風車と、前記浮体とを備えた浮体式風力発電装置の部品搬送方法であって、
前記風車の少なくとも一部を潜水させる潜水ステップと、
前記潜水ステップの後、前記ブレード、前記ハブ又は前記ナセルの少なくとも一つにおける第１積み降ろし位置と、前記水面側における第２積み降ろし位置との間で前記風車の部品を移動させる部品移動ステップとを備え、
前記潜水ステップでは、前記第２電気機器が水没しないように前記タワーに対して前記第２電気機器を鉛直方向に相対移動させるとともに、
前記部品移動ステップの後、前記風車を浮上させる浮上ステップと、
前記浮上ステップの後、前記風車を乾燥させる乾燥ステップとをさらに備えることを特徴とする浮体式風力発電装置の部品搬送方法。
【請求項１０】
少なくとも一本のブレード、該ブレードが取り付けられるハブ、水面に浮かぶ浮体上に立設されたタワー、該タワー上に設けられるナセル、前記ハブ又は前記ナセル内に設けられる第１電気機器、および、ケーブルを介して前記第１電気機器に接続される第２電気機器を含む風車と、前記浮体とを備えた浮体式風力発電装置の部品搬送方法であって、
前記風車の少なくとも一部を潜水させる潜水ステップと、
前記潜水ステップの後、前記ブレード、前記ハブ又は前記ナセルの少なくとも一つにおける第１積み降ろし位置と、前記水面側における第２積み降ろし位置との間で前記風車の部品を移動させる部品移動ステップとを備え、
前記潜水ステップでは、前記第２電気機器が水没しないように前記タワーに対して前記第２電気機器を鉛直方向に相対移動させるとともに、
前記潜水ステップの前に、前記浮体を係留するためのアンカー付きの係留ラインを前記浮体から取り外して、該係留ラインをブイに取り付けておく係留解除ステップをさらに備え、
前記潜水ステップでは、前記浮体から前記係留ラインが取り外された状態で、前記風車の潜水を行うことを特徴とする浮体式風力発電装置の部品搬送方法。
【請求項１１】
前記部品移動ステップでは、クレーン船を用いて前記第１積み降ろし位置と前記第２積み降ろし位置との間で前記部品の移動を行い、
前記部品は、前記少なくとも一つのブレード、および、前記ナセル内に収納されるドライブトレイン又は発電機の少なくとも一つであることを特徴とする請求項８乃至１０の何れか一項に記載の浮体式風力発電装置の部品搬送方法。
【請求項１２】
前記少なくとも一つのブレードは、前記ハブから反対方向に延在する一対のブレードであり、
前記潜水ステップの前に、前記一対のブレードが水平方向に沿うように前記ハブの角度位置を調整する角度位置調整ステップをさらに備え、
前記潜水ステップでは、水平方向に沿った前記一対のブレードが水没しない位置まで前記風車を潜水させることを特徴とする請求項８乃至１１の何れか一項に記載の浮体式風力発電装置の部品搬送方法。
【請求項１３】
前記浮体式風力発電装置は洋上に設置された洋上風車であり、
前記潜水ステップでは、前記風車の内部に海水を取り込んで前記風車の少なくとも一部を潜水させ、
前記浮上ステップの後、且つ、前記乾燥ステップの前に前記風車を真水で洗浄する洗浄ステップをさらに備えることを特徴とする請求項９に記載の浮体式風力発電装置の部品搬送方法。
【発明の詳細な説明】
【技術分野】
【０００１】
本開示は、水面に浮かぶ浮体と、該浮体に設置された風車とを備えた浮体式風力発電装置及び該装置の部品搬送方法に関する。
【背景技術】
【０００２】
近年、地球環境の保全の観点から風力発電装置の普及が進んでいる。特に、発電効率の向上に有利な大型の風力発電装置を洋上や湖上等の水上に設置する計画が様々な場所で進められている。【０００３】
水上に設置される風力発電装置として、水面に浮かぶ浮体上に風車を設置した浮体式風力発電装置が知られている。浮体式風力発電装置には、タワーの高さが数十メートルから百メートルを超える大型のものもある。このような浮体式風力発電装置では、メンテナンス時や据え付け・解体時等に、水上に設置された状態で風車のタワー上部、ナセル又はハブのような高所にアクセスすることは極めて困難である。【０００４】
そこで、特許文献１には、風車の上方部位へのアクセスを容易化する目的で、メンテナンス時に風車のタワーを沈めて海底に着床させる方法が開示されている。また、特許文献２及び３には、メンテナンス時に風車のタワーをスパー内に沈める構成が開示されている。
【先行技術文献】
【特許文献】
【０００５】
【特許文献１】特開２０１２−４５９８１号公報
【特許文献２】特開２０１０−２２３１１３号公報
【特許文献３】特開２０１０−２２３１１４号公報
【発明の概要】
【発明が解決しようとする課題】
【０００６】
ところで、浮体式風力発電装置には、発電機、制御盤、変圧器等の各種の電気機器が多数設けられている。これらの電気機器は、風車の上方に設けられるものだけではなく、低所に設けられるものもある。例えば、制御盤や操作パネルといった電気機器等は、ナセル内、ハブ内又はタワー内上部等の上方空間と、タワー内又はタワー外下部の下方空間とにそれぞれ設置され各場所での必要な操作に使われる。通常の浮体式風力発電装置においては、浮体以外の風車部位は水上に露出した状態にあるので、これらの電気機器が浸水することは考えられていない。しかし、メンテナンス時等に風車を水中に沈める場合、これらの電気機器、特に低所に設置される電気機器は浸水してしまうおそれがある。【０００７】
この点、特許文献１〜３は、メンテナンス時に浮体式風力発電装置を沈める構成が開示されているのみで、電気機器の浸水に関しては何ら考慮されていない。特許文献２及び３のように、タワーをスパー内に沈めれば浸水の可能性は低減するものの、大型のタワーをスパー内に沈めるために大きな動力を要してしまうという問題があった。【０００８】
本発明の少なくとも一実施形態の目的は、風力発電装置の潜水時においても電気機器を浸水から保護し得る浮体式風力発電装置及び該装置の部品搬送方法を提供することである。
【課題を解決するための手段】
【０００９】
本発明の少なくとも一実施形態に係る浮体式風力発電装置は、水面に浮かぶ浮体と、前記浮体上に設置され、少なくとも一部が潜水可能に構成された風車とを備える浮体式風力発電装置であって、前記風車は、少なくとも一本のブレードと、前記ブレードが取り付けられるハブと、前記浮体上に立設されるタワーと、前記タワー上に設けられるナセルと、前記ハブ又は前記ナセル内に設けられる第１電気機器と、ケーブルを介して前記第１電気機器に接続される第２電気機器とを含み、前記第２電気機器は、前記風車の潜水時において、水没しないように前記タワーに対して鉛直方向に相対移動可能に構成されたことを特徴とする。【００１０】
上記浮体式風力発電装置によれば、風車の潜水時において、高所に設置される第１電気機器にケーブルを介して接続される第２電気機器が、タワーに対して鉛直方向に相対移動可能であるから、第２電気機器が水没することを確実に防止できる。特に、浮体式風力発電装置は過酷な周囲環境下に設置されることが多いので、単に密閉空間に第２電気機器を設置することで浸水から保護しようとしても、その密閉空間を長期間に亘って維持することは困難である。例えば、洋上に設置される浮体式風力発電装置は、周囲の温度変化が大きく、また大気中に腐食性物質が多く含まれることから、密閉空間を形成するためのシールが短期間で劣化してしまうことが考えられる。これに対して上記浮体式風力発電装置は、風車の潜水時においても第２電気機器が常に水上に露出するように構成されているので、第２電気機器を浸水から確実に保護できる。また、第２電気機器は、タワーに対して鉛直方向に相対移動可能に構成されているので、風車の通常運転時には適切な位置に第２電気機器を配置することができる。【００１１】
幾つかの実施形態では、前記第２電気機器は、前記風車の潜水時において、前記水面に浮かぶフロートを有する電気機器ボックスに収納されていてもよい。
第２電気機器が収納された電気機器ボックスはフロートによって水面に浮かぶようになっているので、動力を用いずに、第２電気機器をタワーに対して鉛直方向に相対移動できるとともに、第２電気機器を確実に水面より上方に位置させることができる。【００１２】
幾つかの実施形態では、前記電気機器ボックスは、前記タワーの内周面又は外周面に当接するガイド部材を有し、前記風車の潜水時、前記電気機器ボックスが前記ガイド部材によって前記タワーに沿って案内されるように構成されてもよい。
このように、電気機器ボックスをタワーに沿って案内するガイド部材を設けることによって、電気機器ボックスがタワーに対して鉛直方向に相対移動する際に他の部品に接触することを防止でき、電気機器ボックスをタワーに対して円滑に相対移動させることができる。【００１３】
幾つかの実施形態では、前記浮体は、前記風車が設置される第１コラムを含む複数のコラムと、前記複数のコラム間を接続するロワーハルとを含むセミサブ式浮体であり、前記風車は、前記タワーと、前記コラム又は前記ロワーハルの少なくとも一方とに対するバラスト水の注入によって潜水可能に構成されてもよい。
このように、バラスト水の注入によって風車を潜水させることにより、潜水に要する動力を低減できる。【００１４】
幾つかの実施形態では、前記ナセルは、前記タワー上部に固定されて前記タワーに対して不動であり、前記タワーは、断面楕円形状であってもよい。
このように、ナセルがタワーに対して不動となるように構成することで断面楕円形状のタワーを採用することができ、延いては、波浪や潮流等によっても揺動し難く、姿勢安定性の高い風力発電装置とすることができる。【００１５】
幾つかの実施形態では、前記タワー内に設けられ、前記タワーの内部空間に注入されたバラスト水を前記タワー外に排出するための排出ポンプと、前記排出ポンプを前記バラスト水の水面に浮かべるためのフロートとをさらに備えてもよい。
このように、タワーの内部空間に注入されたバラスト水をタワー外に排出するための排出ポンプを設けることにより、バラスト水注入によって潜水状態にある風車を容易に浮上させることができる。また、排出ポンプはフロートによって水面に浮かぶようにしているので、排出ポンプが水没して故障することを防止できる。【００１６】
幾つかの実施形態では、前記タワーには、前記タワーの内部空間と前記タワーの外部との間における前記バラスト水の移動に用いられるバラスト水チューブが挿通される給排水口が設けられており、前記給排水口は、前記風車の潜水時において前記水面よりも上方の前記タワーの領域に位置するように構成してもよい。
このように、バラスト水チューブが挿通される給排水口を、風車の潜水時において水面よりも上方のタワーの領域に設けるようにしたので、タワー周囲の水が給排水口を介してタワー内空間に侵入することを防止できる。これにより、タワー内部空間に貯留されたバラスト水の水面と、タワー周囲の水面との高さの差を調整可能となり、バラスト水による浮力調整を適切に行えるようになる。【００１７】
幾つかの実施形態では、前記風車は、前記タワーの外周側に設置されたラダーと、該ラダーを覆うラダーカバーとをさらに含み、前記ラダーによって前記タワーの下部から前記ナセルに至るアクセス路を前記タワーの外部に形成してもよい。
これにより、タワーの内部空間に入らなくてもタワー外周側のラダーを利用してナセルにアクセスできる。したがって、タワー内空間に入るための開閉口が不要となり、タワーを水密に形成することが可能となる。【００１８】
本発明の少なくとも一実施形態に係る浮体式風力発電装置の部品搬送方法は、少なくとも一本のブレード、該ブレードが取り付けられるハブ、水面に浮かぶ浮体上に立設されたタワー、該タワー上に設けられるナセル、前記ハブ又は前記ナセル内に設けられる第１電気機器、および、ケーブルを介して前記第１電気機器に接続される第２電気機器を含む風車と、前記浮体とを備えた浮体式風力発電装置の部品搬送方法であって、前記風車の少なくとも一部を潜水させる潜水ステップと、前記潜水ステップの後、前記ブレード、前記ハブ又は前記ナセルの少なくとも一つにおける第１積み降ろし位置と、前記水面側における第２積み降ろし位置との間で前記風車の部品を移動させる部品移動ステップとを備え、前記潜水ステップでは、前記第２電気機器が水没しないように前記タワーに対して前記第２電気機器を鉛直方向に相対移動させることを特徴とする。【００１９】
上記浮体式風力発電装置の部品搬送方法によれば、風車の少なくとも一部を潜水させることによって風車の水面からの高さが低くなり、波浪や潮流等により風車が揺動しても風車上方の揺れはそれ程大きくならないので、ブレード、ハブ又はナセルのような高所においても部品搬送の作業性を向上させることができる。また、浮体やタワーを水中に沈めることによって、波浪や潮流等による揺動の減衰効果が高くなり、風車全体の揺動もより一層小さくすることができる。さらに、クレーン船を用いて、風車側の第１積み下ろし位置と水面側の第２積み下ろし位置との間で部品を移動させる場合、クレーン船のブームの揚程は低くてよいため、船体の揺れによるブーム先端（部品が取り付けられるフック位置）の揺れを小さくでき、より一層作業性を向上できる。さらにまた、短いブーム長のクレーンでよいことから、クレーン船の特殊性が軽減し、より汎用性のある船体及びサイズの船を利用できる。
また、風車の潜水時に、第２電気機器が水没しないように、タワーに対して第２電気機器を鉛直方向に相対移動させるようにしたので、第２電気機器を浸水から確実に保護できる。【００２０】
幾つかの実施形態では、前記部品移動ステップでは、クレーン船を用いて前記第１積み降ろし位置と前記第２積み降ろし位置との間で前記部品の移動を行い、前記部品は、前記少なくとも一つのブレード、および、前記ナセル内に収納されるドライブトレイン又は発電機の少なくとも一つであってもよい。【００２１】
幾つかの実施形態では、前記少なくとも一つのブレードは、前記ハブから反対方向に延在する一対のブレードであり、前記潜水ステップの前に、前記一対のブレードが水平方向に沿うように前記ハブの角度位置を調整する角度位置調整ステップをさらに備え、前記潜水ステップでは、水平方向に沿った前記一対のブレードが水没しない位置まで前記風車を潜水させてもよい。
このように、一対のブレードが水平方向に沿うようにした状態で風車を潜水させることにより、ブレードが水に浸かることを防止できる。【００２２】
幾つかの実施形態では、前記潜水ステップでは、前記少なくとも一本のブレードのうち前記水面に近いブレードに保護カバーを取り付けてもよい。
これにより、ブレードが水に浸かることを防止できる。【００２３】
幾つかの実施形態では、前記部品移動ステップの後、前記風車を浮上させる浮上ステップと、前記浮上ステップの後、前記風車を乾燥させる乾燥ステップとをさらに備えてもよい。
これにより、円滑に風力発電装置の通常運転を再開することが可能となる。【００２４】
幾つかの実施形態では、前記浮体式風力発電装置は洋上に設置された洋上風車であり、前記潜水ステップでは、前記風車の内部に海水を取り込んで前記風車の少なくとも一部を潜水させ、前記浮上ステップの後、且つ、前記乾燥ステップの前に前記風車を真水で洗浄する洗浄ステップをさらに備えてもよい。
風車の潜水時に、海水中に含まれる腐食性物質が風車に付着した場合であっても、風車の浮上後にこれを除去でき、風車を構成する部品が腐食することを防止できる。【００２５】
幾つかの実施形態では、前記潜水ステップの前に、前記浮体を係留するためのアンカー付きの係留ラインを前記浮体から取り外して、該係留ラインをブイに取り付けておく係留解除ステップをさらに備え、前記潜水ステップでは、前記浮体から前記係留ラインが取り外された状態で、前記風車の潜水を行ってもよい。
これにより、風車の潜水時に、係留ラインによって動作が阻害されることを防げ、円滑に風車を潜水させることができる。
【発明の効果】
【００２６】
本発明の少なくとも一実施形態によれば、風車の潜水時において、高所に設置される第１電気機器にケーブルを介して接続される第２電気機器が、タワーに対して鉛直方向に相対移動可能であるから、第２電気機器が水没することを確実に防止できる。また、第２電気機器は、タワーに対して鉛直方向に相対移動可能に構成されているので、風車の通常運転時には適切な位置に第２電気機器を配置することができる。
【図面の簡単な説明】
【００２７】
【図１】本発明の一実施形態に係る浮体式風力発電装置の概略構成を示す側面図である。
【図２】本発明の一実施形態における風車を構成する部品構成及び電気機器の移動機構を示す側面図である。
【図３】ナセルがタワーに対して不動な場合の風車の構成例を示す側面図である。
【図４】図３のＡ−Ａ線矢視図である。
【図５】本発明の他の実施形態における電気機器の移動機構を示す側面図である。
【図６】本発明の他の実施形態における電気機器の移動機構を示す側面図である。
【図７】タワー内部空間へバラスト水を注入するための構成を説明する図である。
【図８】タワー内部空間からバラスト水を排出するための構成を説明する図である。
【図９】タワー外周側に配設されたラダーを示す斜視図である。
【図１０】タワーをヨー旋回させるための構成を説明する図である。
【図１１】図１１（ａ），（ｂ）は、一実施形態における浮体式風力発電装置の部品搬送手順を示す図である。
【図１２】本発明の他の実施形態における浮体式風力発電装置が海上に係留されている状態を示す斜視図である。
【図１３】図１３（ａ），（ｂ）は、他の実施形態に係る浮体式風力発電装置の潜水手順を示す図である。
【図１４】図１３（ｂ）のＢ部拡大図である。
【図１５】図１５（ａ），（ｂ）は、他の実施形態に係る浮体式風力発電装置の姿勢調整方法を説明する図である。
【図１６】図１６（ａ），（ｂ）は、他の実施形態に係る浮体式風力発電装置の潜水手順を示す図である。
【図１７】図１７（ａ），（ｂ）は、更なる他の実施形態に係る浮体式風力発電装置の潜水手順を示す図である。
【発明を実施するための形態】
【００２８】
以下、添付図面に従って本発明の実施形態について説明する。ただし、実施形態として以下に記載され、あるいは、実施形態として図面で示された構成部品の寸法、材質、形状、その相対的配置等は、本発明の範囲をこれに限定する趣旨ではなく、単なる説明例にすぎない。
【００２９】
以下、本発明の実施形態に係る浮体式風力発電装置の概略について述べた後、その浮体式風力発電装置における部品搬送方法について説明する。
なお、浮体式風力発電装置の一例として、図１〜図１１ではスパー型の浮体を有する浮体式風力発電装置を示し、図１２〜図１７ではセミサブ型の浮体を有する浮体式風力発電装置を示している。但し、本実施形態に係る浮体式風力発電装置及びその部品搬送方法に適用可能な浮体型はこれらに限定されるものではない。
【００３０】
図１は本発明の一実施形態に係る浮体式風力発電装置の概略構成を示す側面図である。図２は本発明の一実施形態における風車を構成する部品構成及び電気機器の移動機構を示す側面図である。図３はナセルがタワーに対して不動な場合の風車の構成例を示す側面図である。図４は図３のＡ−Ａ線矢視図である。図５及び図６は本発明の他の実施形態における電気機器の移動機構を示す側面図である。
【００３１】
図１及び図２に示すように、浮体式風力発電装置１は、水面に浮かぶ浮体１０と、浮体１０上に立設された風車２とを備えている。
一実施形態において、風車２は、風を受けて回転する少なくとも１枚のブレード３と、ブレード３が取り付けられるハブ４と、ハブ４が回転自在に取り付けられるナセル６と、ナセル６を支持するタワー８とを有している。ナセル６はタワー８に対してヨー旋回可能であってもよく、通常は、風向きに応じてブレード３が風上側へ配向されるようにナセル６がヨー旋回する。そして、風を受けたブレード３が回転することで、発電機６０によって発電が行われる。
【００３２】
一実施形態において、スパー型の浮体１０は、縦長の中空状の浮体本体１１と、浮体本体１１の下端部に形成されたバランスウェイト１２とから構成される。浮体１０の水中部上方には、浮力体１３が設けられるとともに、浮体本体１１の下端には、浮体１０の動揺を低減させるためのフーティング１４が設けられている。また、浮体本体１１には、複数の係留ライン１６が放射状に配設されており、水底に配置されているアンカー１５によってこれら複数の係留ライン１６が固定されている。なお、係留ライン１６とは、浮体１０の位置を保持するためのチェーン、ワイヤロープ、合成繊維ロープ又はこれらが複合したロープ等、シャックル等の連結具及び中間ブイ又は中間シンカー等からなるものをいう。
【００３３】
図３に示すように、タワー８の上端とナセル６の底部とを固定して、ナセル６がタワー８に対して不動となるように構成してもよい。このような構成においては、風車２は浮体１０とともにヨー旋回する。これにより、ナセル６内に配置される第１電気機器６０と、タワー８内に配置される第２電気機器２０とを接続するケーブル２５が捩れることを防止できる。
また、図４に示すように、ナセル６がタワー８に対して不動である場合、タワー８は、断面楕円形状であってもよい。ナセル６がタワー８に対して不動となるように構成することで断面楕円形状のタワー８を採用することができ、延いては、波浪や潮流等によって揺動し難く、姿勢安定性の高い風力発電装置１とすることができる。
【００３４】
図２に示すように、一実施形態において、風車２は、ハブ４に連結された回転シャフト６１と、電力を生成する発電機６０（第１電気機器）と、回転シャフト６１の回転エネルギーを発電機６０に伝えるドライブトレイン６３とを含んでいる。なお、同図では一例としてドライブトレイン６３及び発電機６０がナセル６内に配置される場合を示しているが、これらの少なくとも何れかがタワー８側に配置されてもよい。
【００３５】
回転シャフト６１は、ブレード３及びハブ４から構成されるロータ５と共に回転する。なお、ハブ４はハブカバー４ａで覆われていてもよい。また、回転シャフト６１は、一対の軸受６２を介して回転自在にナセル６に支持されている。
ドライブトレイン６３は、回転シャフト６１に取り付けられた油圧ポンプ６４と、高圧油ライン及び低圧油ラインを介して油圧ポンプ６４に接続される油圧モータ６５とを含んで構成される。油圧ポンプ６４は、回転シャフト６１によって駆動されて作動油を昇圧し、高圧の作動油（圧油）を生成する。油圧ポンプ６４で生成された圧油は高圧油ラインを介して油圧モータ６５に供給され、この圧油によって油圧モータ６５が駆動される。油圧モータ６５で仕事をした後の低圧の作動油は、低圧油ラインを経由して油圧ポンプ６４に再び戻される。また、油圧モータ６５の出力軸は発電機６０の入力軸に接続されており、油圧モータ６５の回転が発電機６０に入力されるようになっている。なお、同図ではドライブトレイン６３として油圧トランスミッションを用いた構成を例示したが、この構成に限定されるものではなく、ギヤ式増速機等の他のドライブトレインを用いてもよいし、ドライブトレイン６３を設けずに、回転シャフト６１と発電機６０とを直結させた構成であってもよい。
【００３６】
風車２は、メンテナンス時や据え付け・解体時等において、風車２の少なくとも一部を潜水させるための潜水手段を備えている。この潜水手段によって、風車２は図１の矢印方向に沈められる。なお、潜水手段の具体的な構成については後述する。
潜水手段を用いて、例えば、図２に示した各部品を移動させるために風車２を潜水させる。移動される部品としては、例えば、上記したようにナセル６内空間に配置される回転シャフト６１、軸受６２、ドライブトレイン６３の各部品、発電機６０の他に、ブレード３、ハブカバー４ａ、ナセル６を構成する各部品、制御盤等の電気機器などの各種の部品が挙げられる。勿論、タワー８の上方空間に配置される各種の部品であってもよい。また、メンテナンス時に用いられる部品も含まれる。勿論、部品の移動を伴わない作業においても、風車２を潜水させてもよい。
【００３７】
図２に示すように、浮体式風力発電装置１は、第２電気機器２０をタワー８に対して鉛直方向に相対移動させる移動機構を備えている。この移動機構によって、風車２の潜水時に、第２電気機器２０は、水没しないようにタワーに対して鉛直方向に相対移動する。なお、第２電気機器２０は、ハブ４又はナセル６内に設けられる第１電気機器６０と、ケーブル２５を介して接続される電気機器である。第１電気機器６０としては、例えばナセル６内の発電機やドライブトレイン（油圧トランスミッション）６３や制御盤、ハブ４内のピッチ駆動装置や制御盤、その他補機等が挙げられる。また、第２電気機器２０としては、例えば、スイッチギヤ、変圧器、インバータ、制御盤、その他補機等が挙げられる。
【００３８】
一実施形態において、移動機構は、風車２の潜水時において、水面ＷＬに浮かぶフロート２２を有する電気機器ボックス２１に収納されている．具体的には、電気機器ボックス２１の下部にフロート２２が取り付けられており、フロート２２より上方に第２電気機器２０が収納されるようになっている。電気機器ボックス２１は、気密性を有するように構成されてもよい。第１電気機器６０と第２電気機器２０とを接続するケーブル２５は、タワー８内に延在する。電気機器ボックス２１の移動に際してケーブル２５が暴れないように、タワー８内周面に取り付けられたクランプ２３にケーブル２５を挿通させてもよい。この場合、ケーブル２５は、鉛直方向に移動可能となるようにしてクランプ２３に挿通される。クランプ２３は複数設けられてもよい。最も上部に設けられたクランプ２３より上方には、ケーブルローラ１９が設けられてもよい。ケーブルローラ１９は、クランプ２３によりタワー８内周面に沿って配置されたケーブル２５をタワー８の中央付近に導くとともに、第２電気機器２０の鉛直方向移動により第１電気機器６０と第２電気機器２０との距離が変化した場合に生じるケーブル２５の遊びを吸収する。
上記構成によれば、第２電気機器２０が収納された電気機器ボックス２１はフロート２２によって水面に浮かぶようになっているので、動力を用いずに、第２電気機器２０をタワー８に対して鉛直方向に相対移動できるとともに、第２電気機器２０を確実に水面ＷＬより上方に位置させることができる。
【００３９】
また、図５及び図６に示すように、タワー８の外周側に第２電気機器２０の移動機構を設けてもよい。なお、第２電気機器２０は、上記と同様に、フロート２２を有する電気機器ボックス２１内に収納されている。
図５において、電気機器ボックス２１は、タワー８の外周面に取り付けられたガイドレール３０に沿って、タワー８に対して鉛直方向に相対移動するようになっている。タワー８の外周面には鉛直方向に複数のクランプ３２が取り付けられ、第１電気機器６０と第２電気機器２０とを接続するケーブル２５は各クランプ３２を挿通するように配置される。
図６において、電気機器ボックス２１は、タワー８の周囲を囲むように設けられたフレーム２６に連結される。フレーム２６には、タワー８の外周面に摺動する複数のガイドローラ２７が取り付けられている。また、ケーブル２５は、ジャンクションボックス２８を介して第２電気機器２０に接続されてもよい。さらに、電気機器ボックス２１内には、ジャンクションボックス２８から外したケーブル２５を巻き取るケーブルリール２９が設けられていてもよい。なお、風車２を沈める際には、クランプ３２からケーブルを外しながら風車２を沈めるようにしてもよい。
上記したように、ガイドレール３０やガイドローラ付きフレーム２６等によって、電気機器ボックス２１がタワー８に沿って案内されるように構成することで、電気機器ボックス２１をタワー８に対して円滑に相対移動させることができるとともに、波浪や潮流による電気機器ボックス２１の揺動を抑制することもできる。なお、上記した移動機構は、タワー８の内周側に設けてもよい。また、第２電気機器２０から外部へ延出するケーブル２５は、浮体１０に設けられたガイド３４を介して水底に延在させてもよい。ガイド３４は、例えば、ケーブル２５が上下方向に挿通するようにリング状に構成される。これにより、第２電気機器２０がタワー８に対して上下方向に相対移動した場合であっても、ガイド３４によってケーブル２５をタワー８側に安定して支持させることができる。
【００４０】
次に、図７及び図８を参照して、風車２の潜水手段について説明する。図７はタワー内部空間へバラスト水を注入するための構成を説明する図である。図８はタワー内部空間からバラスト水を排出するための構成を説明する図である。
風車２の潜水手段として、タワー８の内部空間に貯留されるバラスト水によって浮体式風力発電装置１の浮力調整を行う構成を用いてもよい。その場合、タワー８の下方、すなわち潜水時に水面ＷＬが到達する可能性のあるタワー領域は略水密状態に形成される。例えば、潜水時に水面ＷＬが到達する可能性のあるタワー領域に設けられる扉等の開閉部は、水密性の高い構造とする。
【００４１】
図７に示すように、一実施形態において、タワー８には、風車２の潜水時において水面ＷＬよりも上方のタワー領域に位置するように、給水口８ａが設けられている。給水口８ａには、バラスト水をタワー８の内部空間に注水するためのホース１０２が挿通される。ホース１０２は、船（例えばポンプ船）１００に搭載されたポンプ１０１に接続され、ポンプ１０１を駆動することによってホース１０２からタワー８の内部空間にバラスト水が注水される。
このように、ホース１０２が挿通される給水口８ａを、風車２の潜水時において水面ＷＬよりも上方のタワー８の領域に設けることにより、タワー周囲の水が給水口８ａを介してタワー８の内部空間に侵入することを防止できる。これにより、タワー８の内部空間に貯留されたバラスト水の水面と、タワー周囲の水面ＷＬとの高さの差を調整可能となり、バラスト水による浮力調整を適切に行えるようになる。
【００４２】
図８に示すように、一実施形態において、タワー８には、風車２の潜水時において水面ＷＬよりも上方のタワー領域に位置するように、排水口８ｂが設けられている。なお、給水口８ａ及び排水口８ｂは同一であってもよい。排水口８ｂには、バラスト水をタワー８の内部空間から外部へ排出するためのホース１０４が挿通される。ホース１０４は、船（例えばポンプ船）１００に搭載されたポンプ１０３に接続されるともに、タワー８の内部空間に配置されたポンプ１０２に接続される。そして、ポンプ１０２，１０３を駆動することによって、タワー８の内部空間からホース１０４を介してバラスト水が排出される。また、タワー８の内部空間に配置されたポンプ１０２は、フロート１０６上に載置されてもよい。
このように、タワー８の内部空間に注入されたバラスト水をタワー８の外に排出するためのポンプ１０２，１０３を設けることにより、バラスト水注入によって潜水状態にある風車２を容易に浮上させることができる。また、タワー８内に設置されるポンプ１０２はフロート１０６によって水面に浮かぶように構成することで、ポンプ１０２が水没して故障することを防止できる。
【００４３】
上記構成に加えて、本実施形態に係る浮体式風力発電装置１は、図９及び図１０に示す構成をさらに備えていてもよい。図９はタワー外周側に配設されたラダーを示す斜視図である。図１０はタワーをヨー旋回させるための構成を説明する図である。
【００４４】
図９に示すように、風車２は、タワー８の外周側に設置されたラダー４２と、ラダー４２を覆うラダーカバー４１とをさらに備えていてもよい。ラダー４２は、タワー８の下部からナセル６に至るアクセス路に沿って延設される。これにより、タワー８の内部空間に入らなくてもタワー８の外周側に設けられたラダー４２を利用してナセル６にアクセスできる。したがって、タワー６の内部空間に入るための開閉口が不要となり、タワー８の水密性を向上させることができる。
【００４５】
図１０に示すように、風車２は、タワー８の外周を囲むように配置されたチェーンリング４５と、チェーンリング４５に対してタワー８をヨー旋回させるヨー旋回機構４７とをさらに備えていてもよい。チェーンリング４５は、タワー８の外周面に対して鉛直方向にスライド可能に取り付けられている。また、チェーンリング４５は浮力を有しており、タワー８が水面ＷＬに対して鉛直方向に移動（潜水又は浮上）しても水面ＷＬに留まるようになっている。チェーンリング４５には、係留ライン１６が接続されるフック４６が取り付けられている。チェーンリング４５は常時水面ＷＬに維持されるので、風車２が潜水又は浮上しても、フック４６に取り付けられた係留ライン１６の張力は殆ど変化しない。風車２の通常運転時等において風車２をヨー旋回させる場合には、チェーンリング４５を基準としてヨー旋回機構４７を駆動する。これにより、風車２の円滑なヨー旋回が可能となる。なお、この構成は、上記図３及び図４に示したように、タワー８に対してナセル６が不動の場合に好適に用いられる。
【００４６】
以下、図１１を参照して、一実施形態に係る浮体式風力発電装置の部品搬送手順について詳述する。図１１（ａ），（ｂ）は、一実施形態に係る浮体式風力発電装置の部品搬送手順を示す図である。なお、ここでは一例として浮体式風力発電装置１から船１００に第１電気機器６０を移動させる場合について説明する。第１電気機器６０は、ナセル６の第１積み下ろし位置Ａに配置されている。
【００４７】
図１１（ａ）に示すように、メンテナンス時等において船（ポンプ船）１００が接近したら、風車２を図中矢印方向に移動させ、風車２の少なくとも一部を潜水させる。このとき、第２電気機器２０は、上述した何れかの移動機構によって、水没しないようにタワー８に対して鉛直方向上方に相対移動する（図２、図５及び図６参照）。そして、図１１（ｂ）に示すように、風車２の少なくとも一部が水面ＷＬより下方に沈んだ状態を維持して、風車２側における第１積み降ろし位置Ａと、水面側における第２積み降ろし位置Ｂとの間で第１電気機器６０を移動させる。第１電気機器６０の移動には、例えばクレーン１０８が搭載された船（クレーン船）１００が用いられる。なお、第１電気機器６０の移動には、風車２側に設けられたクレーンやウィンチ等の昇降装置（不図示）を用いてもよい。
【００４８】
上記した浮体式風力発電装置１の部品搬送方法によれば、風車２の少なくとも一部を潜水させることによって風車２の水面ＷＬからの高さが低くなり、波浪や潮流等により風車２が揺動しても風車２上方の揺れはそれ程大きくならないので、ブレード３、ハブ４又はナセル６のような高所においても部品搬送の作業性を向上させることができる。また、浮体１０やタワー８を水中に沈めることによって、波浪や潮流等による揺動の減衰効果が高くなり、風車２全体の揺動もより一層小さくすることができる。さらに、クレーン船１００を用いて、風車２側の第１積み下ろし位置Ａと水面側ＷＬの第２積み下ろし位置Ｂとの間で部品を移動させる場合、クレーン船１００のブームの揚程は低くてよいため、船体の揺れによるブーム先端（部品が取り付けられるフック位置）の揺れを小さくでき、より一層作業性を向上できる。さらにまた、短いブーム長のクレーンでよいことから、クレーン船１００の特殊性が軽減し、より汎用性のある船体及びサイズの船１００を利用できる。
また、風車２の潜水時に、第２電気機器２０が水没しないように、タワー８に対して第２電気機器２０を鉛直方向に相対移動させるようにしたので、第２電気機器２０を浸水から確実に保護できる。
なお、これらの実施形態において、船１００から浮体式風力発電装置１へ第１電気機器６０を移動させる場合には、上記と逆の手順を行う。
【００４９】
また、第２電気機器２０を移動させた後、風車２を浮上させて、風車２を乾燥させてもよい。特に、タワー８の内部空間を乾燥させる。乾燥方法としては、例えばタワー８の内部空間に温風を供給して、内部空間の温度を上昇させてもよい。これにより、円滑に風力発電装置１の通常運転を再開することが可能となる。
さらに、浮体式風力発電装置が洋上に設置される場合、風車２を乾燥させる前に、真水で洗浄するようにしてもよい。これにより、風車２の潜水時に、海水中に含まれる腐食性物質が風車２に付着した場合であっても、風車２の浮上後にこれを除去でき、風車２を構成する部品が腐食することを防止できる。
【００５０】
さらにまた、風車２を潜水させる前に、浮体１０を係留するためのアンカー付きの係留ライン１６を浮体１０から取り外して、該係留ライン１６をブイに取り付けておいてもよい。その場合、風車２を潜水させる際には、浮体１０から係留ライン１６が取り外された状態で、風車２の潜水を行ってもよい。これにより、風車２の潜水時に、係留ライン１６によって潜水動作が阻害されることを防げ、円滑に風車２を潜水させることができる。
【００５１】
他の実施形態において、図１２〜図１７の構成を備えていてもよい。図１２は本発明の他の実施形態における浮体式風力発電装置が海上に係留されている状態を示す斜視図である。図１３（ａ），（ｂ）は、他の実施形態に係る浮体式風力発電装置の潜水手順を示す図である。図１４は図１３（ｂ）のＢ部拡大図である。図１５は（ａ），（ｂ）は、他の実施形態に係る浮体式風力発電装置の姿勢調整方法を説明する図である。図１６（ａ），（ｂ）は、他の実施形態に係る浮体式風力発電装置の潜水手順を示す図である。図１７（ａ），（ｂ）は、更なる他の実施形態に係る浮体式風力発電装置の潜水手順を示す図である。
なお、図１２〜図１７には、セミサブ型の浮体式風力発電装置における潜水手段及びこれに関連した構成のみを示しており、第１電気機器６０、第２電気機器２０、及び第２電気機器２０の移動機構等は省略している。
【００５２】
図１２及び図１３に示すように、一実施形態において、浮体式風力発電装置８１は、水面ＷＬに浮かぶ浮体９０と、浮体９０に立設された風車８２とを備える。
風車８２は、少なくとも一枚のブレード８３と、ブレード８３が取り付けられたハブ８４と、ハブ８４が取り付けられたナセル８６と、ナセル８６をヨー旋回可能に支持するタワー８８とを有する。
浮体１０は、平面視において仮想三角形の頂点位置に配置された柱状の３つのコラム９１，９２，９３を有するとともに、第１コラム９１と第２コラム９２とを接続する長尺状の第１ロワーハル９４、及び第１コラム９１と第３コラム９３とを接続する長尺状の第２ロワーハル９５とを有する。そして、これら３つのコラム９１，９２，９３と２つのロワーハル９４，９５とによって、平面視において浮体９０は略Ｖ字状に形成されている。そして、平面視略Ｖ字状の真ん中に位置する第１コラム９１の上面には上述した風車９２が設置されている。
【００５３】
また、第１ロワーハル９４と第２ロワーハル９５とが直角に交わるとともに、第１ロワーハル９４と第２ロワーハル９５との交角の二等分線に対して左右対称をなす仮想直角二等辺三角形の頂点位置に、上述した３つのコラム９１，９２，９３が配置されていてもよい。
さらに、特に図示しないが、第２コラム９２と第３コラム９３とを接続する第３のロワーハルを更に有してもよい。さらにまた、第１ロワーハル９４と第２ロワーハル９５とが、補強用の梁部材によって連結されていてもよい。
なお、上記実施形態では、第１コラム９１及び第２コラム９２、第１コラム９１及び第３コラム９３をそれぞれ接続する連結部としてロワーハル９４，９５を例示したが、連結部はこれに限定されるものではない。
【００５４】
一実施形態において、浮体９０は、その内部にバラスト水を貯留するバラスト室（不図示）が形成されていてもよい。バラスト室は、コラム９１，９２，９３及びロワーハル９４，９５の少なくとも何れかの内部空間に設けられる。また、バラスト室は、ロワーハル９４，９５の延在方向に複数に分割された構成であってもよく、これによりロワーハル９４，９５の延在方向に浮力分布を形成することができ、風車２の姿勢を適切に制御することができる。このバラスト室にバラスト水が注入されることで、ロワーハル９４，９５の上面よりも上方に喫水面（水面）ＷＬが位置した状態で水面に係留される。また、バラスト室は、風車２の潜水手段としても用いられてもよい。その場合、風車２の少なくとも一部が潜水する浮力となるようにバラスト室にバラスト水を注入する。バラスト室がロワーハル９４，９５の延在方向に複数に分割された構成である場合、各バラスト室におけるバラスト水量を調節して、風車２が水平状態を維持したまま鉛直方向下方に沈むようにしてもよい。なお、風車２を潜水させる際には、タワー８の内部空間にもバラスト水が供給されるので、この内部空間もバラスト室の一つに含まれる。
【００５５】
また、浮体９０は、その上面に風車８２が設置されている第１コラム９１が主風向Ｗに対して風上側に位置するように配置されてもよい。その場合、第２コラム９２及び第３コラム９３は、第１コラム９１よりも主風向Ｗの風下側に位置するように配置される。このように、風車２が設置されている第１コラム９１を主風向Ｗの風上側に位置するように配置することで、風荷重を受けて背面側に傾倒しようとする風車８２の安定性を高めることが出来る。
さらに、浮体８０には、図１２に示すように、水底Ｅに固定されたアンカー（不図示）に連結された複数の係留ライン９６が、懸垂曲線を描くようにカテナリ状に接続されていてもよい。その場合、浮体９０は、これらアンカー及び係留ライン９６によって、浮体９０に作用する漂流力や回転モーメントに抵抗して海上に係留される。
【００５６】
図１３（ａ）に示すように、タワー８８が水面ＷＬより上方に位置する状態において、タワー８８の内部空間及び浮体９０のバラスト室にバラスト水を供給して、図１３（ｂ）に示すように、風車８２の少なくとも一部が潜水するように、浮体９０とともに風車８２を沈める。このとき、浮体９０が水平状態を保ったまま沈むように、バラスト水量を調節してもよい。
【００５７】
図１３（ｂ）に示すように風車８２が放射状に延びる３枚のブレード８３を有する場合、タワー８８とともに、下方に位置するブレード８３の一部が浸水することがある。このような場合には、図１４に示すように、水面ＷＬに近いブレード８３に保護カバー９６を取り付けてもよい。保護カバー９６は水を通さない材質で形成される。また、保護カバー９６が外れないように、保護カバー９６にフック９７を取り付けて、保護カバー９６をハブ８４側にワイヤー９８で吊ってもよい。さらに、保護カバー９６にフロート９９を取り付けてもよい。
【００５８】
また、図１５（ａ）に示すように、浮体式風力発電装置８１の潜水時又は浮上時における姿勢調整において、浮体９０が水平状態で鉛直方向に移動するように、フロート１１０を用いてもよい。例えば、第２コラム９２、第３コラム９３にフック１１２を設けて、フックに取り付けたワイヤー１１４の先端にフロート１１０を接続する。フロート１１０の替わりに、第２コラム９２、第３コラム９３内に空気室１１５を設けて、空気室１１５内の空気容積を調節することによって姿勢調整を行ってもよい。
さらに、図１５（ｂ）に示すように、浮体式風力発電装置８１の潜水時又は浮上時における姿勢調整において、浮体９０が水平状態を維持したまま鉛直方向に移動するように、船（クレーン船）１００に搭載されたクレーン１０８で浮体９０を吊ってもよい。例えば、第２コラム９２、第３コラム９３に設けられたフック１１２にワイヤー１１４をかけて、クレーン１０８で上方に引き上げる。
【００５９】
さらに、図１６（ａ）、（ｂ）に示すように、海底Ｅに浮体設置台１２０を設けて、浮体式風力発電装置８１を沈めた際に浮体９０が浮体設置台１２０に載置されるようにしてもよい。具体的に、浮体設置台１２０は、各コラム９１，９２，９３を支持する３つの支持部１２１と、各コラム９１，９２，９３の底面にそれぞれ係合する係合部１２２と、３つの支持部１２１を互いに連結する連結部１２３とを有する。そして、図１６（ａ）に示すように、各コラム９１，９２，９３の底面が浮体設置台１２０の係合部１２２に係合するまで浮体式風力発電装置８１を沈める。これにより、潜水時における浮体式風力発電装置８１の姿勢を安定して維持することができる。
また、各支持部１２１のワイヤー取付け部１２４に取り付けられたワイヤー１２７の先端にフロート１２６を接続してもよい。このフロート１２６は、浮体設置台１２０の位置を作業者に知らせる目的で設けられる。
さらにまた、浮体設置台１２０に取り付けられたワイヤー１２７を、船１００に搭載された昇降機構１０９に付け替えて、船１００で浮体設置台１２０を吊り上げた状態で他の場所に移動させることもできる。
【００６０】
また、図１７（ａ）、（ｂ）に示すように、浮体式風力発電装置１３１の風車１３２が、ナセル１３６に取り付けられたハブ１３４から反対方向に延在する一対のブレード１３３を有する場合、風車１３１を潜水させる前に、一対のブレード１３３が水平方向に沿うようにハブ１３４の角度位置を調整し、一対のブレード１３３が水没しない位置まで風車１３２を潜水させてもよい。このように、一対のブレード１３３が水平方向に沿うようにした状態で風車１３２を潜水させることにより、ブレード１３３が水に浸かることを防止できる。
【００６１】
以上説明したように、上述の実施形態によれば、風車２（８２，１３２）の潜水時において、高所に設置される第１電気機器６０にケーブル２５を介して接続される第２電気機器２０が、タワー８（８８）に対して鉛直方向に相対移動可能であるから、第２電気機器２０が水没することを確実に防止できる。また、第２電気機器２０は、タワー８（８８）に対して鉛直方向に相対移動可能に構成されているので、風車２（８２，１３２）の通常運転時には適切な位置に第２電気機器２０を配置することができる。
【００６２】
以上、本発明の実施形態について詳細に説明したが、本発明はこれに限定されず、本発明の要旨を逸脱しない範囲において、各種の改良や変形を行ってもよいのはいうまでもない。
【００６３】
上述の実施形態では、風車の潜水手段として、タワー内部空間又は浮体のバラスト室にバラスト水を注入する構成を例示したが、潜水手段の構成はこれに限定されるものではない。例えば、浮体に複数接続された係留ラインの張力をそれぞれ調節することによって風車を潜水させる構成としてもよい。また、風車又は浮体に錘や船等の自重を付与することによって浮体を潜水させる構成としてもよい。
【符号の説明】
【００６４】
１，８１，１３１  浮体式風力発電装置
２，８２，１３２  風力発電機
３，８３，１３３  ブレード
４，８４，１３４  ハブ
４ａ            ハブカバー
５              ロータ
６，８６，１３６  ナセル
８，８８        タワー
８ａ，８ｂ      給排水口
１０，９０      浮体
１１            浮体本体
１２            バランスウェイト
１３            浮力体
１４            フーティング
１５            アンカー
１６，９６      係留ライン
１９            ケーブルローラ
２０            電気機器ボックス
２１            第２電気機器
２２，９９，１０６，１１０，１２６    フロート
２３，３２      クランプ
２５            ケーブル
２６            フレーム
２７            ガイドローラ
４１            ラダーカバー
４２            ラダー
４５            チェーンリング
４７            ヨー駆動機構
６０            第１電気機器
６１            回転シャフト
６２            軸受
６３            ドライブトレイン
９１            第１コラム
９２            第２コラム
９３            第３コラム
９４            第１ロワーハル
９５            第２ロワーハル
９６            保護カバー
１００          船
１０１，１０２，１０３  ポンプ
１０２，１０４  ホース
１０８          クレーン
１０９          昇降機構
１１５          空気室
１２０          浮体設置台
Ａ              第１積み下ろし位置
Ｂ              第２積み下ろし位置
【図１】
0005860976.tif 000002
【図２】
0005860976.tif 000003
【図３】
0005860976.tif 000004
【図４】
0005860976.tif 000005
【図５】
0005860976.tif 000006
【図６】
0005860976.tif 000007
【図７】
0005860976.tif 000008
【図８】
0005860976.tif 000009
【図９】
0005860976.tif 000010
【図１０】
0005860976.tif 000011
【図１１】
0005860976.tif 000012
【図１２】
0005860976.tif 000013
【図１３】
0005860976.tif 000014
【図１４】
0005860976.tif 000015
【図１５】
0005860976.tif 000016
【図１６】
0005860976.tif 000017
【図１７】
0005860976.tif 000018